(57)【要約】【課題】  どんな靴でも装着ができ、どんな氷雪路面でも確実に作用する滑り止め具。【解決手段】  三層からなる可撓性靴底に円錐状螺旋コイルスプリングを有する直線部を下向きに出没自在に貫通した該靴底に、該円錐状螺旋コイルスプリングの螺旋部と圧縮性柔軟材を可撓性上部靴底とで挟持接着し、適宜装着手段で靴に装着することで解決している。【選択図】図１
0003123059.tif 000002
【実用新案登録請求の範囲】
【請求項１】
三層からなる可撓性靴底に円錐状螺旋コイルスプリングを有する直線部を下向きに出没自在に貫通した該靴底に、該円錐状螺旋コイルスプリングの螺旋部と圧縮性柔軟材を可撓性上部靴底とで挟持接着し、適宜装着手段で靴に装着することを特徴とする靴底滑り止め具。
【考案の詳細な説明】
【技術分野】
【０００１】本考案は容易に着脱できる簡易靴底滑り止め具に関する。
【背景技術】
【０００２】  従来の技術では、靴底の凹凸が深く且つ、スパイクピンを装着した物や、かかとに金属片とコイルスプリングを装着して歩行ごとに靴底に付着する雪を排除するもの、靴底にナット部を埋設しスパイクピンのフランジにコイルスプリングを付勢した装置をねじ込み荷重によって出没させるものや、前記コイルスプリングの替わりにゴム状弾性体を使用するものが知られている。【０００３】  これ等の物は条件が合致すれば非常に効果があるが、氷雪路面の全ての条件に適応するものではなく、気温による雪、氷の状態、滑り路面の状態により大きく左右され、降雪季にこれら滑り止めを施した靴で歩行しても高齢者は転倒して、強打、骨折等の重大事故が依然として起こり社会問題となっている。【０００４】  それは、外見上は滑り止めの凹凸が深く大きく滑り止めのスパイクピン状の物が付いていても、条件が重なると降った新雪が滑り止め凹凸の靴底に付着して詰まり、これらの滑り止めが逆効果になる場合が有り歩行中、靴底に付着した雪が路面の滑り面に挟まれ滑り止め具が作用せず転倒する事が多い。【０００５】  又、車道を横断する時、車がブレーキ、発進時タイヤ空転による磨かれた氷雪の滑り面に雪屑が覆った状況の路面でも、滑り止め凹凸の靴底に付着した雪と雪屑が挟み滑り止め具が作用せず転倒している、特に金属片や複雑な形状の深い凹凸はこれらの靴底に雪を付着する欠点を持っている。【０００６】  そして、靴底に雪を付着し建物や公共施設、店に入る時床面が磨かれた石材又は、硬質プラスチックタイル等で、靴底に付着した雪と床材の接触で非常に滑りやすく転倒者が続出している。
【特許文献１】  特開２００４−２７５６７６
【特許文献２】  実登３０５１０６５
【特許文献３】  特開平１０−２０１５０２
【特許文献４】  特開平１０−１５５５１６
【考案の開示】
【考案が解決しようとする課題】
【０００７】  上記述べたようにこれ等の問題に鑑み成されたもので、体重が加わらない時は靴底の凹凸突起物が浅く大きく少ないので靴底に氷雪が付着せず、全ての氷雪条件でも確実に滑り止め効果を発揮し、どんな形状の靴でも装着がし易く、軽くて携帯の便利な転倒防止に役立つ靴底滑り止め具を提供することを目的とする。
【課題を解決するための手段】
【０００８】  三層からなる可撓性靴底に円錐状螺旋コイルスプリングを有する直線部を下向きに出没自在に貫通した該靴底に、該円錐状螺旋コイルスプリングの螺旋部と圧縮性柔軟材を可撓性上部靴底とで挟持接着し、適宜装着手段で靴に装着することで解決している。
【考案の効果】
【０００９】  靴底に接触する下層面の雪の付着を防止するため、凹凸形状が浅く大きく少なくしているので、歩行中路面の雪が靴底から確実に離反し、円錐状コイルスプリング直線部の先端が、多少の滑り面の雪屑にも影響されず氷雪面に突き刺さり、滑り止めが確実に作用し転倒を防止する。【００１０】  滑り止め円錐状コイルスプリングの先端が踏圧のかかる靴底のほぼ全体に配置されているので、転倒時に体重がどの部分に加わっても有効に滑り止め作用が働くので転倒しない。【００１１】  装着構造が簡単なので、履物を変えても簡単に着脱ができ、コンパクトで軽く携帯し易く、寒冷地に出向く時、その場で装着することができる。【００１２】  構造が非常に簡単で製造コストが少なく、特に円錐状コイルスプリングを耐摩耗性の硬質ステンレス製にすれば長期間使用できるので結果的に安い靴底滑り止め具を提供することが出来る。
【考案を実施するための最良の形態】
【００１３】  三層からなる可撓性靴底に円錐状螺旋コイルスプリングを有する直線部を下向きに出没自在に貫通した該靴底に、該円錐状螺旋コイルスプリングの螺旋部と圧縮性柔軟材を可撓性上部靴底とで挟持接着し、適宜装着手段で靴に装着すること。
【実施例】
【００１４】  以下、添付図面に従って実施例を説明する、三層からなるウレタン、ゴム性靴底３に円錐状螺旋コイルスプリング６を有する直線部６Ａを、下向きに出没自在に貫通した該靴底３に、該円錐状螺旋コイルスプリング６の螺旋部６Ｂと圧縮性柔軟材５をウレタン、ゴム性上部靴底４とで挟持接着し、該上部靴底４の前側と後側のかかと部に帯状面ファスナー２、２Ａを設けている。【００１５】  装着する時は、かかとを後ろ側の帯状面ファスナー２Ａの内側に合わせ該帯状面ファスナー２Ａを充分に締めて止め、次に前側の帯状面ファスナー２を適度に締めて止める、これ等のことで靴底滑り止め具は靴から外れること無く安全に歩行することが出来る。
尚、本実施例では可撓性靴底を非常に氷雪の離反性の良いウレタン、ゴム性に、適宜装着手段に帯状面ファスナーを使用している。【００１６】  図１は靴底滑り止め具の断面を示し、靴底滑り止め具は三層からなるウレタン、ゴム性靴底３に数十本の円錐状螺旋コイルスプリング６を有する直線部６Ａを下向きに出没自在に貫通した該靴底３に、該円錐状螺旋コイルスプリング６の螺旋部６Ｂと圧縮性柔軟材５を上部靴底４とで挟持接着した該靴底滑り止め具を、靴１の前後に帯状面ファスナー２、２Ａで装着している。【００１７】  図２は靴底滑り止め具の靴底３の正面図を示し、付着し易い雪でも付着しない適宜に大きく浅く刻まれた凹凸３Ａと、円錐状螺旋コイルスプリング６の直線部６Ａの先端を表す。【００１８】  図３は図１の靴底３に円錐状螺旋コイルスプリング６が有する直線部６Ａを下向きに出没自在に貫通した該靴底３に、該円錐状螺旋コイルスプリング６の螺旋部６Ｂと圧縮性柔軟材５を上部靴底４とで挟持接着した一部拡大断面図を示す。【００１９】  図４は図１の氷雪面７を歩行時に体重を加えた時の、靴底滑り止め具の断面を示し、体重で中間層５の圧縮性柔軟材と螺旋部６Ｂを圧縮し、直線部６Ａ先端が氷雪面７に突き刺さっているのを示す。【００２０】  図５は図４の氷雪面７を歩行時に体重を加えた時の、靴底滑り止め具の断面を示し、体重で中間層５の圧縮性柔軟材と螺旋部６Ｂを圧縮し、直線部６Ａ先端が氷雪面７に突き刺さっている一部拡大断面図を示す。【００２１】  装着構造が簡単で履物を変えてもどの履物にも簡単に装着でき、軽くて携帯しやすく降雪地に出向く時、その地で装着することができる。【００２２】  体重が加えた靴底３の底板面から円錐状螺旋コイルスプリング６の直線部６Ａが突き出し氷雪面７の氷雪面に突き刺さるので多少の氷雪面７の雪屑に影響されないで滑り止めが発揮される。【００２３】  靴底滑り止め具の円錐状螺旋コイルスプリング６の直線部６Ａの先端をほぼ靴底全体に配置しているので、歩行中に路面の凹凸で踏圧がどの部分に加わっても有効に滑り止め作用が働く。【００２４】  磨いた石材、硬質プラスチック床はこの直線部６Ａの滑り止め作用は無いが適宜に大きく浅く刻まれた凹凸で接触面の面圧が高くなるので滑ることは無い。【００２５】  乾燥路面が硬く直線部６Ａが突き刺ささらない所でも、螺旋部６Ｂが撓んで靴底３面より吐出することが無いので支障にならない。【００２６】  構造が非常に簡単で製造コストが少なく特に装着構造が簡単なので、どの履物にも簡単に装着でき履物を変えても使用できるので利便性が高い。【００２７】  この装置をアウトドアスポーツ用に、冬用履物の底に滑り止め具として製作時から組み込むこともできる。
【産業上の利用可能性】
【００２８】  本考案に関わる靴底滑り止め具は工業製品として量産することが可能なため産業上の利用可能性を有する。
【図面の簡単な説明】
【００２９】
【図１】本考案の靴に装着した靴底滑り止め具の断面図
【図２】本考案の靴底滑り止め具の正面図
【図３】本考案の靴底滑り止め具一部拡大断面図
【図４】本考案の靴に体重をかけた靴底滑り止め具の断面図
【図５】本考案の靴に体重をかけた靴底滑り止め具の一部拡大断面図
【符号の説明】
【００３０】    １・・・・靴
２・・・・前面ファスナー
２Ａ・・・後面ファスナー
３・・・・靴底
３Ａ・・・溝
４・・・・上部靴底
５・・・・圧縮性柔軟材
６・・・・円錐状螺旋コイルスプリング
６Ａ・・・直線部
６Ｂ・・・螺旋部
７・・・・氷雪面
【図１】
0003123059.tif 000003
【図２】
0003123059.tif 000004
【図３】
0003123059.tif 000005
【図４】
0003123059.tif 000006
【図５】
0003123059.tif 000007